(57)【要約】【課題】ユーザに関連するＥＭＦ暴露を追跡する方法等を提供する。【解決手段】ユーザの電磁界暴露を追跡する方法であって、ユーザによる１以上のデバイスの使用による電磁界暴露を示す、ユーザについての総電磁界暴露値を記憶し、ユーザによる特定のデバイスの使用に関連する電磁界暴露の推定を取得し、その推定に応じてユーザについての総電磁界暴露値を修正し、総電磁界暴露値と閾値を比較し、総電磁界暴露値が閾値を超える場合は１以上のデバイスの使用に関する信号を送信する、方法が開示される。【選択図】図１
2014211435.tif 000002
【特許請求の範囲】
【請求項１】
ユーザの電磁界暴露を追跡する方法であって、
前記ユーザによる１又はそれ以上のデバイスの使用による電磁界暴露を示す、前記ユーザについての総電磁界暴露値を記憶し、
前記ユーザによる前記デバイスのうちの特定のデバイスの使用に関連する電磁界暴露の推定を取得し、
前記推定に応じて前記ユーザについての前記総電磁界暴露値を修正し、
前記総電磁界暴露値を閾値と比較し、
前記総電磁界暴露値が前記閾値を超える場合は前記１又はそれ以上のデバイスの使用に関する信号を送信する、方法。
【請求項２】
前記信号は、前記特定のデバイス、第三者のデバイス及びネットワークエンティティのうちの少なくとも１つへ送信される、
請求項１に記載の方法。
【請求項３】
前記信号は、少なくとも前記特定のデバイスに制限を課す制御信号を含み、望ましくは、前記制限は通信制限を含む、
請求項２に記載の方法。
【請求項４】
更に、前記制限を緩和又は解除するよう設定される制御信号を送信する、
請求項３に記載の方法。
【請求項５】
前記信号は、前記ユーザについての前記総電磁界暴露値が前記閾値を超えたとの警告を与える警告信号を含む、
請求項１又は２に記載の方法。
【請求項６】
前記閾値は、前記ユーザの性別及び年齢のうちの少なくとも１つに基づき設定される、
請求項１乃至５のうちいずれか一項に記載の方法。
【請求項７】
ユーザの電磁界暴露を追跡する方法であって、
デバイスの前記ユーザを特定し、
前記ユーザによる前記デバイスの使用に関連する電磁界暴露を推定し、
前記ユーザについての総電磁界暴露を修正し、
前記総電磁界暴露に応答して行動を取る、方法。
【請求項８】
前記行動は、前記総電磁界暴露を閾値と比較し、前記総電磁界暴露の値が閾値を超える場合は前記ユーザに制限を課すことを含む、
請求項７に記載の方法。
【請求項９】
前記推定をされた電磁界暴露は、前記ユーザについての前記総電磁界暴露の値を修正するための遠隔デバイスへ送信される、
請求項７又は８に記載の方法。
【請求項１０】
更に、前記デバイスの使用に関する信号を前記遠隔デバイスから受信し、該信号は、望ましくは、前記デバイスに制限を課す制御信号である、
請求項９に記載の方法。
【請求項１１】
前記推定は、前記ユーザの身体部分又は領域と前記デバイスとの近さを決定することを含む、
請求項１乃至１０のうちいずれか一項に記載の方法。
【請求項１２】
前記推定は、前記デバイスの動作のモードを決定することを含む、
請求項１乃至１１のうちいずれか一項に記載の方法。
【請求項１３】
ユーザの電磁界暴露を追跡するデバイスであって、
前記ユーザによる１又はそれ以上のデバイスの使用による電磁界暴露を示す、前記ユーザについての総電磁界暴露値を記憶するよう構成されるデータストレージと、
前記ユーザによる前記デバイスのうちの特定のデバイスの使用に関連する電磁界暴露の取得された推定に応じて前記ユーザについての前記総電磁界暴露値を修正するよう構成されるアグリゲータと、
前記総電磁界暴露値を閾値と比較し、前記総電磁界暴露値が前記閾値を超える場合は前記１又はそれ以上のデバイスの使用に関する信号を出力するよう構成されるアナライザと
を有するデバイス。
【請求項１４】
ユーザの電磁界暴露の追跡を可能にするための、デバイス用のユニットであって、
前記ユーザを特定するよう構成されるユーザ識別部と、
前記ユーザによる前記デバイスの使用に関連する電磁界暴露を推定し、前記ユーザについての総電磁界暴露を修正するか、又は前記ユーザについての総電磁界暴露を修正するための遠隔デバイスへの送信のために前記推定をされた電磁界暴露を出力するよう構成される推定部と
を有するユニット。
【請求項１５】
前記遠隔デバイスから受信された制御信号に応答して前記デバイスに制限を課すよう構成される制御部
を更に有する請求項１４に記載のユニット。
【請求項１６】
前記ユーザの身体部分又は領域に対して所定の位置にある外部の近接場通信回路に近接する場合に該外部の近接場通信回路と無線通信するよう構成される近接場通信回路
を更に有する請求項１４又は１５に記載のユニット。
【発明の詳細な説明】
【技術分野】
【０００１】
実施形態は概して、携帯電話機のようなデバイスからのユーザの電磁界（ＥＭＦ）暴露を追跡することに関する。
【背景技術】
【０００２】
ＥＭＳを放射する携帯電話機及び他のデバイスの使用は増えている。ＥＭＳの暴露を減らすイニシアチブは地域及び国家レベルで提案されてきた。例えば、欧州連合は、自律性、エネルギ効率、高容量バックホール、低ＥＭＦ無線暴露、及びより小さい低電力基地局、アナログ−デジタル複合ＲＦ設計、並びに新規の信号処理方法の必要性を考慮する新規の無線ネットワークトポロジとともに、放射費用及びエネルギ毎ビットの低減並びにより低いＥＭＦ暴露の必要性を考慮する新しい無線伝送パラダイム及びシステム設計を目標としてきた（ftp://ftp.cordis.europa.eu/pub/fp7/ict/docs/ict-wp-2011-12_en.pdfで入手可能なSeventh  Framework  Programme，FP7  ICT  Call  8）。
【先行技術文献】
【非特許文献】
【０００３】
【非特許文献１】Seventh  Framework  Programme，FP7  ICT  Call  8，ＵＲＬ：ftp://ftp.cordis.europa.eu/pub/fp7/ict/docs/ict-wp-2011-12_en.pdf
【発明の概要】
【発明が解決しようとする課題】
【０００４】
ＥＭＦ暴露に関連する多くの既存の技術は、セルラーネットワーク基地局、アクセスポイント及びデバイスに焦点を当てているが、ユーザに特有ではない。
【課題を解決するための手段】
【０００５】
一実施形態に従って、ユーザのＥＭＦ暴露を追跡する方法であって、
前記ユーザによる１又はそれ以上のデバイスの使用によるＥＭＦ暴露を示す、前記ユーザについての総ＥＭＦ暴露値を記憶し、
前記ユーザによる前記デバイスのうちの特定のデバイスの使用に関連するＥＭＦ暴露の推定を取得し、
前記推定に応じて前記ユーザについての前記総ＥＭＦ暴露値を修正し、
前記総ＥＭＦ暴露値を閾値と比較し、
前記総ＥＭＦ暴露値が前記閾値を超える場合は前記１又はそれ以上のデバイスの使用に関する信号を送信する、方法が提供される。
【０００６】
ＥＭＦ暴露は、ユーザと結びつけられるので、現在使用中のデバイスに関して、しかし該デバイスから独立して追跡され得る。これは、例えば、複数のデバイスがユーザに関連付けられる（例えば、登録されている）場合、又はユーザが１のデバイスを他のデバイスと交換する場合のように、ユーザがデバイスを切り替える場合に、ＥＭＦ暴露のシームレスな追跡を可能にする。語「デバイス」は概して、ユーザが情報をやり取りすることができる如何なるデバイスも指す。デバイスは、移動体、固定、無線及び／又は有線であってよく、ユーザ設備、モバイル端末、及び加入者設備のような他の用語によって呼ばれることがある。デバイスの例には、携帯電話機、スマートフォン、ラップトップコンピュータ、及びＰＤＡがある。方法は、全体的に又は部分的に、様々なエンティティによって実行されてよい。一例において、方法はネットワークノードで実行される。
【０００７】
前記信号は、推定されるＥＭＦ暴露が対応する前記特定のデバイス（前記ユーザによって現在使用されているデバイスであってよい。）及び／又は第三者のデバイスのような、異なるエンティティへ送信されてよい。例えば、ユーザが子供である場合に、第三者とは親であってよい。前記信号は、代替的に又は追加的に、前記特定のデバイスとの間の伝送を制御するゲートウェイのようなネットワークエンティティへ送信されてよい。
【０００８】
前記信号は、制限が前記デバイスへ課されるようにしてよい。この制限は、特定のタイプの伝送を制限し得る通信制限であってよい。従って、制限は、伝送のタイプ（例えば、ボイスコール、ＳＭＳ、ＭＭＳ、電子メール、インターネット、等）又は伝送の方法（アップリンク又はダウンリンク）に基づき選択的に適用され得る。幾つかの場合に、制限は、それが適切な権限を有する何者かによって無効にされ得ることを意味する‘ソフト’制限であってよい。代替的に、前記信号は、前記デバイスをパワーダウンさせてよい。
【０００９】
前記総ＥＭＦ暴露値は、総和又は移動平均のような移動時間窓集約（moving  time  window  aggregate）であってよい。前記制限は、例えば、前記ユーザに関連する前記総ＥＭＦ暴露値が再び前記閾値を下回る場合、又は該閾値が変更される場合に、適切な制御信号を送信することによって（徐々に）緩和又は解除され得る。
【００１０】
前記信号は情報を提供する性質を備え、例えば、前記ユーザのＥＭＦ暴露が個人的な許容量（閾値）を超えたとの前記ユーザ及び／又は第三者へのインジケーション又は警告を提供する。
【００１１】
代替的に又は追加的に、前記閾値に達する前に送信される警告信号は、個人的な許容量が超えられる前に残存する通信時間の推定及び／又はＥＭＦレベル情報を含んでよい。残り通信時間の推定は、より正確な推定のために、前記ユーザによる使用の履歴パターンを考慮してよい（例えば、使用された異なるモード及びサービスを参照）。前記警告信号は、前記特定の（ユーザ）デバイスで音声及び／又は視覚的警報をトリガしてよい。
【００１２】
この実施形態では、ユーザは、例えば、後述される方法の何れかを用いて、予め特定されていると考えられてよく、ＥＭＦ暴露の推定はユーザ識別子を伴ってよい。前記閾値は、特定のユーザに合わせられ得る。例えば、前記閾値は、ユーザの性別及び年齢のうちの少なくとも１つに基づき設定され得る。それはまた、何らかの国家的又は国際的な許容限界に基づいてよく、ユーザ又は第三者によって設定されてよい。
【００１３】
一実施形態に従って、ユーザのＥＭＦ暴露を追跡する方法であって、
デバイスの前記ユーザを特定し、
前記ユーザによる前記デバイスの使用に関連するＥＭＦ暴露を推定し、
前記ユーザについての総ＥＭＦ暴露を修正し、
前記総ＥＭＦ暴露に応答して行動を取る、方法が提供される。
【００１４】
この方法は、（上述された特定のデバイスに対応する）ユーザデバイスで、又は少なくとも部分的に該ユーザデバイスで実行され得、先と同じく、ユーザに特有の個人的なＥＭＦ暴露に関する。
【００１５】
前記行動は、前記総ＥＭＦ暴露を閾値と比較し、前記総ＥＭＦ暴露の値が閾値を超える場合は前記ユーザに制限（例えば、上述されたような制限）を課すことを含んでよい。よって、方法全体がユーザデバイスで局所的に実行されてよい。代替的に、前記総ＥＭＦ暴露（ユーザデバイス又は遠隔のいずれで計算されたかにかかわらず）は、異なる行動、例えば、（例えば、子供のＥＭＦ暴露の親によるモニタリングのために定期的に）第三者デバイス又は他への単純な送信をトリガすることができる。そのような場合に、遠隔で実行される方法は、ユーザアイデンティティ及びそのユーザに関連する推定されるＥＭＦ暴露の入力を受け入れ、ユーザについての総ＥＭＦ暴露を修正し、総ＥＭＦ暴露の報告を送信することを含んでよい。
【００１６】
総ＥＭＦ暴露の何らかの局所的な決定に代えて、前記推定をされたＥＭＦ暴露は、前記ユーザについての総ＥＭＦ暴露値を修正するための遠隔デバイスへ送信されてよい。この場合に、行動は遠隔デバイス（例えば、ネットワークノード又はクラウドエンティティ）によって取られてよい。
【００１７】
前記ユーザを特定することは、そのユーザについてのＥＭＦ暴露推定のみが送信されることを確かにする。デバイスが関連付けられる（例えば、複数のユーザに登録されている）場合に、送信をされるＥＭＦ暴露推定は前記ユーザの識別子を伴ってよい。
【００１８】
当該方法は、信号を前記遠隔デバイスから受信することを含んでよい。これは、上述されたような、前記デバイスに制限を課す制御信号、情報提供信号又は警告信号のような、先に言及されたタイプの信号であってよい。
【００１９】
ＥＭＦ暴露推定は、前記ユーザの頭部、上半身領域、胴体領域、及び脚部領域のような、前記ユーザの身体部分又は領域と前記デバイスとの近さの決定に基づいてよい。ＥＭＦ暴露推定は、従って、前記デバイスが前記ユーザの様々な身体部分又は領域からどれくらい離れているかを考慮してよい。
【００２０】
異なる動作のモード（ボイスコール、ビデオコール、モバイルインターネット、等）は異なるＥＭＦ暴露を生じさせ得る。然るに、ＥＭＦ暴露推定は、前記デバイスの現在の動作のモードの決定に基づいてよい。
【００２１】
一実施形態に従って、ユーザのＥＭＦ暴露を追跡するデバイスであって、
前記ユーザによる１又はそれ以上のデバイスの使用によるＥＭＦ暴露を示す、前記ユーザについての総ＥＭＦ暴露値を記憶するよう構成されるデータストレージと、
前記ユーザによる前記デバイスのうちの特定のデバイスの使用に関連するＥＭＦ暴露の取得された推定に応じて前記ユーザについての前記総ＥＭＦ暴露値を修正するよう構成されるアグリゲータと、
前記総ＥＭＦ暴露値を閾値と比較し、前記総ＥＭＦ暴露値が前記閾値を超える場合は前記１又はそれ以上のデバイスの使用に関する信号を出力するよう構成されるアナライザと
を有するデバイスが提供される。
【００２２】
一実施形態に従って、ユーザのＥＭＦ暴露の追跡を可能にするための、デバイス用のユニットであって、
前記ユーザを特定するよう構成されるユーザ識別部と、
前記ユーザによる前記デバイスの使用に関連するＥＭＦ暴露を推定し、前記ユーザについての総ＥＭＦ暴露を修正するか、又は前記ユーザについての総ＥＭＦ暴露を修正するための遠隔デバイスへの送信のために前記推定をされたＥＭＦ暴露を出力するよう構成される推定部と
を有するユニットが提供される。
【００２３】
よって、そのようなユニットは、携帯電話機又は他のユーザデバイス内に実装されてよい。
【００２４】
当該ユニットは、前記遠隔デバイスから受信された制御信号に応答して前記デバイスに制限を課すよう構成される制御部を更に有してよい。
【００２５】
当該ユニットは近接センサを有してよい。そのようなセンサは、異なる検知技術を用いることができ、且つ、異なる検知範囲を有することができる。例えば、近接センサは光センサを有してよい。ボイルコールが行われるか又は受信される場合に、ユーザの耳との近接が、検知された光レベルに基づき決定され得る。代替的に、近接センサは、ユーザの所定の身体部分又は領域に又はその近くに置かれた外部の近接場（ＮＦＣ）通信回路と無線通信するよう構成されるＮＦＣ回路であってよい。
【００２６】
一実施形態は、コンピュータによって実行される場合に該コンピュータに上記の方法を実行させるコンピュータ実行可能命令を有するコンピュータプログラムプロダクトを提供する。該コンピュータプログラムプロダクトは、記憶媒体又は信号媒体であってよいキャリア媒体において具現されてよい。記憶媒体は、光記憶手段、又は磁気記憶手段、又は電子記憶手段を含んでよい。
【００２７】
記載される実施形態は、特定のハードウェアデバイス、適切なソフトウェアによって設定された汎用のデバイス、又はそれらの組み合わせに組み込まれ得る。態様は、完全なソフトウェア実施として、又は既存のソフトウェアの変更若しくは強化のためのアドオンコンポーネント（例えば、プラグイン）として、ソフトウェアプロダクトにおける実施形態であることができる。そのようなソフトウェアプロダクトは、記憶媒体（例えば、光ディスク、又はフラッシュメモリのような大容量記憶メモリ）又は信号媒体（例えば、ユーザデバイスに記憶され得るダウンロード）のようなキャリア媒体において具現されてよい。それはウェブアプリケーションであってよい。実施形態に適した特定のハードウェアデバイスは、ＡＳＩＣ、ＦＰＧＡ若しくはＤＳＰ、又は他の専用機能ハードウェア手段のようなアプリケーション特有のデバイスを含んでよい。読者は、ソフトウェア又はハードウェアにおける実施形態の上記の説明のいずれもが、未だ発見又は定義されていない実行手段に本発明の将来の実施を制限しないと理解するであろう。
【００２８】
方法、デバイス、ユニット及びコンピュータプログラムの異なる特徴及び従属の特徴は、相互に矛盾しない限りは自由に組み合わされてよい。
【発明の効果】
【００２９】
本発明の実施形態によれば、ユーザに関連するＥＭＦ暴露を追跡する方法等を提供することが可能となる。
【図面の簡単な説明】
【００３０】
【図１】実施形態に従ってＥＭＦ暴露を追跡するシステムを概略的に表す。
【図２】実施形態に従ってＥＭＦ暴露を追跡する方法を示すシーケンス図である。
【図３】実施形態に従ってＥＭＦ暴露を追跡するデバイスを概略的に表す。
【発明を実施するための形態】
【００３１】
ここで、具体的な実施形態が、単に一例として、添付の図面を参照して記載される。
【００３２】
通常、携帯電話機のユーザのための無線周波数暴露の制限は、比吸収率（ＳＡＲ）、すなわち、身体の単位質量毎の無線周波数エネルギ吸収の割合に関して与えられている。暴露制限に関するガイドラインは、８０カ国超によって採択されている国際非電離放射線防護委員会（International  Commission  on  Non-Ionizing  Radiation  Protection：以下、ＩＣＮＩＲＰ）（“Guidelines  for  limiting  exposure  to  time-varying  electric,  magnetic  and  electromagnetic  fields  (up  to  300GHz)”に関する声明、２００９年）、及び米国における電気電子技術者協会（Institute  of  Electrical  and  Electronics  Engineers：以下、ＩＥＥＥ）（IEEE  standard  for  safety  levels  with  respect  to  human  exposure  to  radio  frequency  electromagnetic  fields，３ｋＨｚ乃至３００ＧＨｚ，IEEE  Std  C95.1，２００５年）によって与えられている。米国では、携帯電話機のユーザのための安全な制限は、組織の１グラムの容量に対して平均化された１．６ワット毎キログラム（１．６Ｗ／ｋｇ）のＳＡＲであり、一方、ヨーロッパでは、制限は、組織の１０グラムの容量に対して平均化された２Ｗ／ｋｇである。ＥＭＦ暴露推定は、従って、例えば、伝送電力の測定に基づく。
【００３３】
当業者は、現代の無線通信システムにおける時間ダイナミック伝送電力レベル及び多重アンテナ伝送（同じか又は異なる周波数バンド及びＧＳＭ(登録商標)、ＵＭＴＳ、ＣＤＭＡ等のような同じか又は異なる無線アクセス技術で動作する複数のトランシーバを含む。）の存在下で総／実効ＳＡＲを決定するための適切な技術を知っている。ＥＭＦ暴露レベルを決定するためにＵＥ又はネットワークにおいて伝送イベント及び伝送電力レベルの時間履歴を追跡することも知られている。デバイスが平面上にあるか、移動中であるか、スピーカフォンモードにあるか、又はユーザの身体の近くにあるかどうかのような使用モードを、ＵＥに搭載された加速度計、モーションセンサ、姿勢／位置センサを用いることにより特定し、且つ、スピーカ／ハンドセットモード等のような他の情報を特定するための技術が利用可能である。
【００３４】
なお、ＥＭＦ暴露計測をデバイスと結びつける既知の方法は、現代の通信シナリオでは不十分である。複数の無線デバイス（例えば、電話機、タブレット、ノートブックＰＣ、ゲームコントローラ、等）の使用は、ますます一般的となりつつある。従って、測定及び暴露解析は、デバイス中心よりむしろユーザ中心であるべきことが望ましい。
【００３５】
また、発明者は、個人的なＥＭＦレベルをモニタ、制御及び／又は低減しながら同時に、望ましくはユーザのクオリティ・オブ・サービス（ＱｏＳ）を可能な限り妥協しない新しいネットワーク及び／又はデバイス管理を提供することが望ましいと気付いた。この効果を達成するための多種多様な方法が存在し、様々な実施形態が以下で説明される。
【００３６】
実施形態は、携帯電話機及び他の無線デバイスが無線信号を送信する場合に生成されるＥＭＦ（無線周波数（ＲＦ）ＥＭＦと呼ばれる。）に関して記載される。なお、これは、求められる保護の範囲に何らかの制限を与えるものとして見なされるべきではない。
【００３７】
実施形態は、携帯電話機のようなデバイスによって放射されるＥＭＦへのユーザ暴露を追跡し、特定の環境においては、ＥＭＦ暴露が許容レベルを超えて増大する場合にデバイス使用を制限するメカニズムを提供する。
【００３８】
本発明の幾つかの実施形態は、アップリンク（ＵＬ）での電力制御を強化することに焦点を当てることができる。携帯電話機又は端末（ＬＴＥ用語におけるＵＥ）は、ユーザに対して多種多様な位置で保持又は設置される。すなわち、端末はもはや遊休状態でないか、又はユーザの耳に押しつけられている。加えて、モバイル端末は、男女問わず多くの異なる年齢の人々によって使用され、単一の、ＥＭＦ暴露に基づく端末電力制御アルゴリズムは最適でない。幾つかの実施における重要な所見は、ＵＬでの同じ端末伝送出力が、ユーザに対する端末の位置に依存して、非常に異なるユーザＥＭＦ暴露レベルをもたらすことである。同じＥＭＦ暴露レベルでさえ、その影響は、ユーザの性別及び年齢並びに過去のＥＭＦ暴露の履歴に依存して異なる。よって、ＥＭＦは、ユーザ特有であるように評価されることが重要である。本発明のそのような実施形態は、ユーザの推定されるＥＭＦ暴露及びユーザに対するその推定される影響に基づき、モバイルデバイスへのユーザアクセスを制限する方法を発明する。
【００３９】
最も簡単な実施形態に従って、デバイスは、ユーザのＥＭＦ暴露が特定の閾値を超えたと推定されると、自動的に電源を落とす（すなわち、伝送を一時中断する）ことができる。これは特に、子供／若者又はＥＭＦに弱い大人へのＥＭＦ暴露レベルを制限するのに有用である。
【００４０】
発明の実施形態はまた、ユーザが１よりも多いデバイスを使用し、時々デバイスが共有される現代の通信シナリオを参照する。ユーザ認識技術（例えば、音声認識、パスワード／ＰＩＮ番号、並びに／又は顔認識及び指紋認識のような他の生体署名）を用いることによって、我々は自動的に、ＥＭＦ暴露推定を個人と一意的に関連付けることができる。ユーザは、自身のデバイス及びユーザ認識情報の全てを登録する必要があり得る。
【００４１】
ネットワーク／クラウドサービスの実施形態では、ＥＭＦ暴露の推定及び／又は測定は、ユーザによって経験される複数のデバイスを用いることによる適切に合計されたＥＭＦ暴露レベルを決定するよう、クラウド又は他のノード／デバイスにおいて記録及び解析されてよい。次いで、現在の総ＥＭＦ暴露レベルは、そのユーザについて予め設定されたＥＭＦ暴露プロファイルと比較されてよい。比較により、暴露レベルが到達されるか又は超えられる場合は、そのユーザに使用されている目下動作中のデバイスの一部又は全てからの伝送の一時停止がトリガされてよい。
【００４２】
その後、デバイスのいずれか１つ又はそれ以上からの伝送をアクティブにしようとするそのユーザによる如何なる試み（そのユーザによって経験されるＥＭＦ暴露レベルを増大させる動作）も、例えば、ＥＭＦ暴露レベルの時間窓レベルがユーザのＥＭＦ暴露プロファイル設定によって定義されるプリセットレベルを下回るのに十分な時間が経過するまで、制限又は阻止される。
【００４３】
発明の実施形態は、個々のユーザを認識し、ＥＭＦ暴露を個々のユーザに関連付けることができる。この認識は、例えば、電話機を解除するために使用されるバイオメトリクス、ボイスパターンにより又は顔認識若しくはパスワード（ウェブ検索等のようなもののために使用される。）のような他の手段によりユーザを認識することのうちの１又はそれ以上に基づいてよい。これは、ＥＭＦ“許容量”が“電話機”のものというよりむしろ“個人”ものであることを可能にする。
【００４４】
本発明の実施形態は、ＥＭＦ制御のインテリジェントなアプローチを可能にし、例えば、単純にユーザデバイスからの全ての伝送を一時停止するのではなく、それは、（例えば、救急サービスのみならず親、教師等への）緊急呼び出し及びＳＭＳのような低暴露のサービスのようなサブセットに制限され得る。よって、インテリジェントなサービスレベル制御は、ユーザの累積ＥＭＦ暴露レベルに基づき行われてよい。発明の実施形態は更に、例えば、携帯電話機がヘッドセットを用いてアクティブモードにある間デバイスが特定の位置にある（例えば、ポケットに保持される）場合に、デバイスの電源が落とされることによって、性別に基づく配慮を可能にしてよい。この変形例は特に、妊娠しようと努めている一部のカップルにとって興味深いことがある。タブレット型デバイス及びノートブック型ＰＣは、しばしば伝送モード中（例えば、ゲーム中、電子メール中、写真／映像／ファイルのアップロード中、ビデオコール、等）に音声通話よりも長い時間にわたって膝に置かれる傾向がある。しばしばこれは習慣及び利便性のためである。そのような及び他の場合に、身体の敏感な／特定の部分への位置近接検出を伴う変形例が有利であり得る。
【００４５】
ユーザと端末の位置との端末近接を推定する方法は更に、例えば、下着又はベルトのような衣服に取り付けられたＲＦＩＤタグによって、発明の実施形態において拡張され得る。
【００４６】
上述されたように、更なる実施形態の機能は、クラウド（ネットワークに基づくコンピューティングリソース）又は遠隔のデバイス若しくはノード（例えば、親がアクセスを有するもの）へ暴露を報告又は記録してよい。追加的に又は代替的に、テキストは、例えば、自身の子供の電話機が電源を落とされるべきことを指示する親へ送信されてよい。同様に、電話機が使用されている場合に自身の子供の暴露に関する周期的な更新が送信されてよい。総計及び限界設定のようなデータの処理がまた、クラウド又は遠隔デバイス／ノードであってよい。これは、ユーザから記録及び暴露集約に関与する遠隔デバイス又はサーバへの情報伝達を必要とする。これは、言い換えると、ユーザデバイスを制御してよい（又はＥＭＦ暴露制限プロファイル／ポリシーを適用するよう使用中のデバイスへ情報を送信する）。
【００４７】
発明の実施形態に従って個人を考慮することにおいて、暴露は複数のデバイス（個人が必ずしも所有してなくても使用しているもの。）からであってよく、その場合に、ネットワークサービスは、それが複数のソースによる暴露を合計する潜在能力を有する場合に、より適切であり得る。サーバは、夫々のデバイス、サービス及び典型的な使用モードから生じるＥＭＦ暴露の推定されるレベルに依存するＥＭＦ暴露プロファイルに応じてデバイスの一部又は全てからの通信サービスの一部又は全てを制御してよい（又はそれらを抑制する情報を提供する）。
【００４８】
ここで図１を参照すると、ＥＭＦ暴露を追跡するシステムは、本例では、モバイルデバイス１０２のユニット１０１と、ＥＭＦ暴露を追跡するデバイス１１０とを有する。明らかなように、送信機、受信機及びネットワークのような、よく知られた構成要素は、明瞭さのために図示されない。
【００４９】
ユニット１０１は、ユーザ識別部１０４、推定部１０６、及び制御部１０８を有する。ユーザ識別部１０４は、推定部１０６のＥＭＦ暴露推定が個人と一意に関連付けられることを可能にするために、パスワード、ＰＩＮ番号及び生体識別子（例えば、声、指紋、虹彩／網膜及び／又は顔パターン）に従ってユーザを特定するよう構成される。モバイルデバイス１０２は、ユーザを特定する手段を含んでよく、ユーザ識別部１０４は、ユーザの同一性を確認するために、そのような手段と協働してよい（例えば、そのような手段から出力を受信する）ことが理解されるであろう。制御部１０８は、デバイス１１０から受信される信号に従って動作するよう構成される（後に更に詳細に記載される。）。
【００５０】
携帯電話機は、通常、０．１から２ワットの範囲にあるピーク電力を有して４５０から２７００ＭＨｚの間の周波数で動作する。電力（ひいては、ユーザのＥＭＦ暴露）は、ハンドセットからの距離の増大に伴って急速に低下する。例えば、文章メッセージの入力、インターネットへのアクセス、又は“ハンズフリー”デバイスの使用等において、自身の身体から離して携帯電話機を用いる人は、自身の頭部に対してハンドセットを保持する人とは異なる（より低い）ＥＭＦへの暴露を有する。よって、アップリンクでの同じ端末伝送電力は、ユーザに対する端末の位置に依存して、異なるユーザＥＭＦ暴露レベルを生じ得る。推定部１０６は、従って、ユーザの身体部分又は領域とデバイス１０２との近さを決定するために、モード検出及び／又は近接センサを有してよい。ユーザ識別部１０４と同様に、モバイルデバイス１０２は、推定部１０６が近接性を考慮しながらＥＭＦ暴露を推定するために協働し得る近接センサを有してよいことが理解されるであろう。
【００５１】
デバイス１１０の役割は、ＥＭＦ暴露を追跡し、ユーザについての総ＥＭＦ暴露値を決定することである。そのために、デバイス１１０は、アグリゲータ１１２及びアナライザ１１４を有する。また、ユーザについての総ＥＭＦ暴露値と、複数のユーザ及び複数のデバイスを扱う場合のためのユーザ情報及びデバイス情報とを記憶するデータストレージ１１６が設けられている。
【００５２】
上述されたように、ユニット１０１の推定部１０６はＥＭＦ暴露を推定する。ＥＭＦ暴露の推定は、そのユーザに関連する総ＥＭＦ暴露値を修正（更新）するために、アグリゲータ１１２によって取得される。この修正は、如何なる適切な方法を用いてもよい。例えば、アグリゲータ１１２は、異なるユーザデバイス及び／又はＱｏＳレベル及び／又は他の変数に付属する重みによるＥＭＦ暴露に対する加重和アプローチを使用してよい。代替的に又は追加的に、加重和アプローチは、例えば、モバイルデバイス１０２が、異なるＥＭＦ効果を有しうる異なるサービスの利益を享受する場合に、推定部１０６において使用されてよい。
【００５３】
アナライザ１１４は、現在の総ＥＭＦ暴露値を、そのユーザについて予め設定されたＥＭＦ暴露閾値と比較する。ＥＭＦ暴露レベルが到達されるか又は超えられる場合は、デバイス１１０は、そのユーザによって使用されている現在動作中のデバイスの一部又は全てからの伝送の一時停止をトリガすることができる。より具体的に、アナライザ１１４は、ユニット１０１の制御部１０８へ送信される制御信号を出力する。信号はまた、データストレージ１１６に記憶されているデバイス情報を用いて、ユーザに関連付けられる他のデバイス１１８へも送信されてよい。デバイスのいずれか１つ又はそれ以上からの伝送をアクティブにしようとするユーザによるその後の試みは、そのユーザによって経験されるＥＭＦ暴露レベルを増大させるものであり、移動する時間窓にわたって合計されたＥＭＦ暴露レベルが閾値を下回るのに十分な時間が経過するまで制限又は阻止され得る。例えば、アグリゲータ１１２は、移動する時間窓にわたって総計機能を適用してよい。総計値は、時間窓が動くにつれて時間とともに変化する。時間窓のサイズは、現在時点で終わる時間インターバルを用いて特定され得る。
【００５４】
デバイス１０２に課される制限は、そのデバイスからの全ての伝送を一時停止する必要はない。例えば、特定種類の伝送、例えば、ＳＭＳのような低ＥＭＦ暴露のサービスは、制限されないままであってよい。更に、特定の宛先への伝送、例えば、特定の所定番号（救急サービス、血縁者、等）への呼び出しは、制限されないままであってよい。
【００５５】
デバイス１０２に課される制限は、如何にしてデバイス１０２が使用されているか、及び／又はユーザに対するデバイス１０２の位置を条件としてよい。例えば、制限は、デバイス１０２がユーザの耳に対して保持されている場合に導入され、“ハンズフリー”セット（より低い暴露に関連する。）が使用される場合に解除されてよい。他の例は、デバイス１０２が、しばしば伝送モード中（例えば、ゲーム中、電子メール中、写真／映像／ファイルのアップロード中、ビデオコール、等）に長時間にわたってユーザの膝の上に置かれるラップトップである場合である。このとき、制限は、デバイスがユーザの膝の上に置かれる場合に導入され、ラップトップがユーザから更に離される場合に解除されてよい。ユーザとデバイスとの近さは、例えば、ユーザの衣服に取り付けられたＲＦＩＤタグのような近接場通信技術を用いて、決定されてよい。ユーザとデバイスとの近さが決定され得る他の方法は当業者には明らかであり、従って、ここでは詳細に論じられない。
【００５６】
実施形態において、アナライザ１１４によって出力される信号は、情報を提供する性質を有する。例えば、信号は、第三者のデバイス１２０へ送信される警告信号であってよい。そのような警告信号は、例えば、テキストメッセージの形で送信されてよく、第三者に、制限がデバイス１０２に課されたことを知らせることができる。警告信号はまた、例えば、総ＥＭＦ暴露レベルが閾値に達した場合にユーザに警告するために、制御部１０８へ送信されてよい。代替的に、ユーザ及び／又は第三者は、ユーザの現在の総ＥＭＦ暴露レベルを周期的に知らされ得る。
【００５７】
図１に示される機能ブロックは多種態様な構成において実施されてよく、機能ブロックは結合又は分割されてよいことが理解されるであろう。
【００５８】
図２は、上記の実施形態に従ってユーザのＥＭＦ暴露を追跡するステップを表す。
【００５９】
ステップＳ２０２で、ユーザは、ユーザ及びデバイスの情報を追跡デバイスへ送信する。これは、新しいユーザとして登録し、及び／又は、ユーザが関連付けられる新しいデバイスを登録することであってよい。情報はデバイス１１０に記憶される（ステップＳ２０４）。情報のタイプは、デバイスのタイプ（携帯電話機、ラップトップ等）とともに、ユーザの年齢及び性別を含むことができる。次いで、ユーザのためのＥＭＦプロファイルが確立される（ステップＳ２０６）。プロファイルは、ユーザについての総ＥＭＦ暴露値及び閾値を含む。閾値は、ステップ２０４で取得されたユーザ情報に基づき決定されてよい。
【００６０】
デバイス１０２が使用される場合に、ユーザが特定され（ステップＳ２０８）、ＥＭＦ暴露が推定される（ステップＳ２１０）。これは、場合により、ユーザを特定する情報とともに、デバイス１１０へ送信される（ステップＳ２１２）。情報の受信時に、追跡デバイス１１０は、ユーザについての総ＥＭＦ暴露値を更新し（ステップＳ２１４）、ユーザについての更新された総ＥＭＦ暴露値が閾値を超えるかどうかを決定する（ステップＳ２１６）。次いで、信号がユーザデバイスへ送信され（ステップＳ２２０）、ユーザデバイスによって作用されてよい（ステップＳ２２２）。上述されたように、信号は、ユーザへの情報表示を引き起こし、及び／又は制限がデバイスへ課されるようにしてよい。また上述されたように、信号は、代わりに又は追加的に、第三者のデバイスへ送信されてよい。
【００６１】
図３は、コンピュータ装置３００に本願で論じられている方法のいずれか１つ又はそれ以上を実行させる命令のセットが実行され得るコンピュータ装置３００のブロック図である。コンピュータ装置３００は、携帯電話機、ラップトップコンピュータ若しくはＰＤＡのようなモバイルデバイス、又はサーバコンピュータ、又はコンピュータ装置３００によって取られる行動を特定する命令のセットを実行可能な何らかのコンピュータ装置であってよい。
【００６２】
コンピュータ装置３００は、プロセッサ３０２（例えば、中央演算処理装置（ＣＰＵ）、グラフィクス処理ユニット（ＧＰＵ）、又は両方）、ワーキングメモリ３０４、及び大容量記憶デバイス３１４を有してよく、それらの全ては汎用バス３０１を介して互いに通信する。コンピュータ装置３００は、１又はそれ以上の通信ユニット３０８及び入力／出力デバイス３１０を更に有してよい。入力デバイスは、例えば、ディスプレイ、キーボード、マウス若しくは他の指示デバイス、タッチスクリーン、生体認識手段、又はユーザ入力がインタラプトされてデータ信号に変換され得る何らかの他の手段を含むことができる。出力デバイスは、例えば、ビジュアル表示ユニット、スピーカ、又は情報を提供可能な何らかの他のデバイスのようなオーディオ／ビジュアル出力ハードウェアデバイスを含むことができる。
【００６３】
大容量記憶デバイス３１４は、本願で記載される方法又は機能のいずれか１つ又はそれ以上を具現するマシンコード命令３１２（すなわち、ソフトウェア）を記憶する。マシンコード命令３１２はまた、完全に又は少なくとも部分的に、コンピュータ装置３００によるその実行中にプロセッサ３０２内及び／又はワーキングメモリ３０４内にあってよい。マシンコード命令３１２は更に、通信ユニット３０８を介してネットワーク上で受信されてよい。また、記憶媒体を含むコンピュータプログラムプロダクトがコンピュータ装置３００に導入されてよく、それにより、記憶されているマシンコードがコンピュータ装置３００へ転送可能であるようにする。更に、読者に明らかなように、コンピュータ装置３００は、オペレーティングシステム（例えば、アンドロイド、ｉＯＳ、ＭａＣ  ＯＳ、ＭＳウィンドウズ(登録商標)、ユニックス、又はリナックス(登録商標)）のような既知のソフトウェアを供給されてよく、それにより、如何なるコンピュータプログラムも新しいスタンドアローンのプログラムとして又は既存のコンピュータプログラムへのプラグインとして開発され得るようにする。
【００６４】
通信ユニット３０８は汎用バス３０１へ接続されており、１又はそれ以上のアンテナへ接続された無線通信ユニット、及び／又は有線通信ユニットを有してよい。然るに、ＴＣＰ／ＩＰ、ＨＴＴＰ、イーサネット（登録商標）、８０２．１１ｘ、ワイマックス、ＬＴＥ及び他を含む種々の有線及び／又は無線技術が用いられてよい。
【００６５】
特定の実施形態が記載されてきたが、それらの実施形態は単に一例として提示されており、本発明の適用範囲を制限する意図はない。実際に、本願で記載されている方法、デバイス及びシステムは、様々な他の形態において具現されてよく、更に、本願で記載される方法、デバイス及びシステムの形態における様々な省略、置換及び変更は、本発明の意義から逸脱することなく行われてよい。添付の特許請求の範囲及びその均等は、そのような形態又は変形例を本発明の適用範囲及び意義の中にあるように包含するよう意図される。
【００６６】
上記の実施形態に加えて、更に以下の付記を開示する。
（付記１）
ユーザの電磁界暴露を追跡する方法であって、
前記ユーザによる１又はそれ以上のデバイスの使用による電磁界暴露を示す、前記ユーザについての総電磁界暴露値を記憶し、
前記ユーザによる前記デバイスのうちの特定のデバイスの使用に関連する電磁界暴露の推定を取得し、
前記推定に応じて前記ユーザについての前記総電磁界暴露値を修正し、
前記総電磁界暴露値を閾値と比較し、
前記総電磁界暴露値が前記閾値を超える場合は前記１又はそれ以上のデバイスの使用に関する信号を送信する、方法。
（付記２）
前記信号は、前記特定のデバイス、第三者のデバイス及びネットワークエンティティのうちの少なくとも１つへ送信される、
付記１に記載の方法。
（付記３）
前記信号は、少なくとも前記特定のデバイスに制限を課す制御信号を含み、望ましくは、前記制限は通信制限を含む、
付記２に記載の方法。
（付記４）
更に、前記制限を緩和又は解除するよう設定される制御信号を送信する、
付記３に記載の方法。
（付記５）
前記信号は、前記ユーザについての前記総電磁界暴露値が前記閾値を超えたとの警告を与える警告信号を含む、
付記１又は２に記載の方法。
（付記６）
前記閾値は、前記ユーザの性別及び年齢のうちの少なくとも１つに基づき設定される、
付記１乃至５のうちいずれか一項に記載の方法。
（付記７）
ユーザの電磁界暴露を追跡する方法であって、
デバイスの前記ユーザを特定し、
前記ユーザによる前記デバイスの使用に関連する電磁界暴露を推定し、
前記ユーザについての総電磁界暴露を修正し、
前記総電磁界暴露に応答して行動を取る、方法。
（付記８）
前記行動は、前記総電磁界暴露を閾値と比較し、前記総電磁界暴露の値が閾値を超える場合は前記ユーザに制限を課すことを含む、
付記７に記載の方法。
（付記９）
前記推定をされた電磁界暴露は、前記ユーザについての前記総電磁界暴露の値を修正するための遠隔デバイスへ送信される、
付記７又は８に記載の方法。
（付記１０）
更に、前記デバイスの使用に関する信号を前記遠隔デバイスから受信し、該信号は、望ましくは、前記デバイスに制限を課す制御信号である、
付記９に記載の方法。
（付記１１）
前記推定は、前記ユーザの身体部分又は領域と前記デバイスとの近さを決定することを含む、
付記１乃至１０のうちいずれか一項に記載の方法。
（付記１２）
前記推定は、前記デバイスの動作のモードを決定することを含む、
付記１乃至１１のうちいずれか一項に記載の方法。
（付記１３）
ユーザの電磁界暴露を追跡するデバイスであって、
前記ユーザによる１又はそれ以上のデバイスの使用による電磁界暴露を示す、前記ユーザについての総電磁界暴露値を記憶するよう構成されるデータストレージと、
前記ユーザによる前記デバイスのうちの特定のデバイスの使用に関連する電磁界暴露の取得された推定に応じて前記ユーザについての前記総電磁界暴露値を修正するよう構成されるアグリゲータと、
前記総電磁界暴露値を閾値と比較し、前記総電磁界暴露値が前記閾値を超える場合は前記１又はそれ以上のデバイスの使用に関する信号を出力するよう構成されるアナライザと
を有するデバイス。
（付記１４）
ユーザの電磁界暴露の追跡を可能にするための、デバイス用のユニットであって、
前記ユーザを特定するよう構成されるユーザ識別部と、
前記ユーザによる前記デバイスの使用に関連する電磁界暴露を推定し、前記ユーザについての総電磁界暴露を修正するか、又は前記ユーザについての総電磁界暴露を修正するための遠隔デバイスへの送信のために前記推定をされた電磁界暴露を出力するよう構成される推定部と
を有するユニット。
（付記１５）
前記遠隔デバイスから受信された制御信号に応答して前記デバイスに制限を課すよう構成される制御部
を更に有する付記１４に記載のユニット。
（付記１６）
前記ユーザの身体部分又は領域に対して所定の位置にある外部の近接場通信回路に近接する場合に該外部の近接場通信回路と無線通信するよう構成される近接場通信回路
を更に有する付記１４又は１５に記載のユニット。
【符号の説明】
【００６７】
１０１  ユニット
１０２  モバイルデバイス
１０４  ユーザ識別部
１０６  推定部
１０８  制御部
１１０  ＥＭＦ暴露追跡デバイス
１１２  アグリゲータ
１１４  アナライザ
１１６  データストレージ
１１８  ユーザに関連づけられた他のデバイス
１２０  第三者のデバイス
３００  コンピュータ装置
【図１】
2014211435.tif 000003
【図２】
2014211435.tif 000004
【図３】
2014211435.tif 000005
【外国語明細書】
2014211435000001.pdf